(57)【要約】【課題】  コンテンツ再生装置のバッテリ寿命を延ばすことのできるコンテンツ再生方法およびこのコンテンツ再生方法に用いる端末装置を提供することを目的とする。【解決手段】  端末装置２を操作し、それぞれの再生装置１の記憶部１３に記録されているコンテンツのリストと共に再生装置１のバッテリ１６の残量を無線通信により取得する。再生するコンテンツが複数の再生装置１に重複して記録されている場合は、バッテリ残量の多い再生装置１を選択する。選択した再生装置１からコンテンツデータを視聴装置３に送り、コンテンツを再生する。コンテンツの再生が特定の再生装置１に集中することなく再生装置１のバッテリ寿命を延ばすことができる。【選択図】  図１
2007180602.tif 000002
【特許請求の範囲】
【請求項１】
バッテリにより駆動されるとともに第１のコンテンツを記録再生可能な第１の記録再生装置および第２のコンテンツを記録再生可能な第２の記録再生装置と、無線通信可能な端末装置において、
前記無線通信により前記第１の記録再生装置および前記第２の記録再生装置の前記バッテリの残量を取得するバッテリ残量取得部と、
前記無線通信により前記第１の記録再生装置および前記第２の記録再生装置に記録されたコンテンツの情報を取得するコンテンツ情報取得部と、
前記取得された前記第１の記録再生装置および前記第２の記録再生装置のバッテリ残量と、前記取得されたコンテンツの情報とを対応付けて管理する情報管理部と、を備え
前記第１の記録再生装置に記録されている第１のコンテンツおよび前記第２の記録再生装置に記録されている第２のコンテンツが同一内容の場合は、バッテリ残量の多い第１の記録再生装置又は第２の記録再生装置にコンテンツを再生させることを特徴とする端末装置。
【請求項２】
前記第１の記録再生装置および前記第２の記録再生装置の中、コンテンツを再生していない記録再生装置は電源をオフにすることを特徴とする請求項２記載の端末装置。
【請求項３】
バッテリにより駆動されるとともに第１のコンテンツを記録再生可能な第１の記録再生装置および第２のコンテンツを記録再生可能な第２の記録再生装置と、無線通信可能な端末装置を用いてコンテンツを再生する方法であって、
前記無線通信により、前記第１の記録再生装置および前記第２の記録再生装置のバッテリの残量を取得し、前記第１の記録再生装置および前記第２の記録再生装置に記録されているコンテンツの情報を取得し、
前記取得された前記第１の記録再生装置および前記第２の記録再生装置のバッテリ残量と、前記取得されたコンテンツの情報とを対応付けて管理し、
再生するコンテンツを選択し、
選択されたコンテンツが、前記第１の記録再生装置に記録されている第１のコンテンツおよび前記第２の記録再生装置に記録されている第２のコンテンツと同一内容の場合は、バッテリ残量の多い第１の記録再生装置又は第２の記録再生装置によりコンテンツを再生することを特徴とするコンテンツ再生方法。
【請求項４】
バッテリにより駆動されるとともに第１のコンテンツを記録再生可能な第１の記録再生装置および第２のコンテンツを記録再生可能な第２の記録再生装置と、前記第１の記録再生装置および前記第２の記録再生装置のいずれかにより再生されたコンテンツの映像データ及び音声データを出力する視聴装置と、無線通信可能な端末装置を用いてコンテンツを再生する方法であって、
前記無線通信により、前記第１の記録再生装置および前記第２の記録再生装置のバッテリの残量を取得し、前記第１の記録再生装置および前記第２の記録再生装置に記録されているコンテンツの情報を取得し、
前記取得された前記第１の記録再生装置および前記第２の記録再生装置のバッテリ残量と、前記取得されたコンテンツの情報とを対応付けて管理し、
再生するコンテンツを選択し、
選択されたコンテンツが、前記第１の記録再生装置に記録されている第１のコンテンツおよび前記第２の記録再生装置に記録されている第２のコンテンツと同一内容の場合は、バッテリ残量の多い第１の記録再生装置又は第２の記録再生装置によりコンテンツを再生し、
前記無線通信により再生するコンテンツの映像データ及び音声データを前記視聴装置へ送信し、
前記視聴装置により再生するコンテンツの映像データ及び音声データを出力することを特徴とするコンテンツ再生方法。
【請求項５】
前記第１の記録再生装置および前記第２の記録再生装置の中、コンテンツを再生していない記録再生装置は電源をオフにすることを特徴とする請求項３又は請求項４記載のコンテンツ再生方法。
【発明の詳細な説明】
【技術分野】
【０００１】
本発明は、無線通信技術に関する。
【背景技術】
【０００２】
従来から用いられている磁気テープやＣＤ（Ｃｏｍｐａｃｔ  Ｄｉｓｃ）やＭＤ（Ｍｉｎｉ  Ｄｉｓｃ）に加え、近年ではＤＶＤ（Ｄｉｇｉｔａｌ  Ｖｅｒｓａｔｉｌｅ  Ｄｉｓｃ）やＨＤＤ（Ｈａｒｄ  Ｄｉｓｃ  Ｄｒｉｖｅ）に映像や音楽等のコンテンツが記録されユーザに利用されている。音楽再生装置ではＣＤ，ＭＤ両方を再生できるものが多く利用されてきた。近年はコンテンツの再生機能と記録機能を備えたノート型コンピュータも広く利用されている。ノート型コンピュータを含めたコンテンツ再生装置には例えば記録媒体としてＨＤＤが備えられ、ＨＤＤに記録されたコンテンツをＤＶＤやＣＤに記録することができる。また、ＨＤＤに記録されたコンテンツやＤＶＤ、ＣＤに記録されたコンテンツを再生することができる。
【０００３】
特許文献１には複数のコンテンツ提供装置から構成され、リモコンで集中制御することが可能な電子機器が記載されている。複数のコンテンツ提供装置から取得したコンテンツ情報からコンテンツリストを生成し、選択したコンテンツを再生することができる。コンテンツ提供装置の種類に関わらず、リモコンより送信された制御信号に基づいて、コンテンツの選択又はコンテンツの再生動作を制御することが可能である。
【特許文献１】特開２００５−１９８０２９号公報
【発明の開示】
【発明が解決しようとする課題】
【０００４】
しかし、上記の方式の場合、コンテンツの再生が特定のコンテンツ提供装置に集中すると、コンテンツ提供装置がバッテリで駆動されている場合にはバッテリ切れを起こす可能性がある。
【０００５】
そこで本発明の目的はコンテンツ再生装置のバッテリ寿命を延ばすことのできるコンテンツ再生方法およびこのコンテンツ再生方法に用いる端末装置を提供することにある。
【課題を解決するための手段】
【０００６】
上記目的を達成するために本発明に係る端末装置は、バッテリにより駆動されるとともに第１のコンテンツを記録再生可能な第１の記録再生装置および第２のコンテンツを記録再生可能な第２の記録再生装置と、無線通信可能な端末装置において、前記無線通信により前記第１の記録再生装置および前記第２の記録再生装置の前記バッテリの残量を取得するバッテリ残量取得部と、前記無線通信により前記第１の記録再生装置および前記第２の記録再生装置に記録されたコンテンツの情報を取得するコンテンツ情報取得部と、前記取得された前記第１の記録再生装置および前記第２の記録再生装置のバッテリ残量と、前記取得されたコンテンツの情報とを対応付けて管理する情報管理部と、を備え前記第１の記録再生装置に記録されている第１のコンテンツおよび前記第２の記録再生装置に記録されている第２のコンテンツが同一内容の場合は、バッテリ残量の多い第１の記録再生装置又は第２の記録再生装置にコンテンツを再生させることを特徴とする。
【発明の効果】
【０００７】
本発明によれば、コンテンツ再生装置のバッテリ寿命を延ばすことのできるコンテンツ再生方法およびこのコンテンツ再生方法に用いる端末装置を提供することができる。
【発明を実施するための最良の形態】
【０００８】
以下本発明に係る実施の形態を、図面を参照して説明する。
図１は本発明の第一の実施形態に係るコンテンツ再生システムの全体構成図である。以下の説明で、各装置に備えられている共通のものは符号を変えて区別する。第一の実施形態では、再生装置１が３つ備えられているものとして説明をしているが、再生装置１は当然２つでも良く、複数備えられていれば良い。再生装置１には無線通信用のアンテナ１０が備えられている。再生装置１は無線通信機能を有するとともに、後述する記憶部を有し記憶された音声データや映像データを再生することができる。端末装置２には無線通信用のアンテナ２０が備えられている。端末装置２は無線通信により再生装置１を操作する。視聴装置３には無線通信用のアンテナ３０が備えられている。視聴装置３は無線通信により再生装置１から受信した音声データや映像データを出力する装置である。無線通信には例えばＢｌｕｅｔｏｏｔｈ（登録商標）を用いることが考えられる。端末装置２及び視聴装置３がそれぞれ一つずつ設けられているのに対して、再生装置１は複数設けられている。それぞれの再生装置１に記憶されたコンテンツは視聴装置３により出力し視聴することができる。
【０００９】
図２は本発明の第一の実施形態に係る再生装置の構成を示すブロック図である。再生装置１は複数設けられているが、ここでは一つを代表して説明する。再生装置１は主に無線通信送受信部１１、無線通信制御部１２、記憶部１３、コンテンツ再生制御部１４、バッテリ管理部１５、バッテリ１６、コンテンツ再生部１７から構成される。無線通信送受信部１１はアンテナ１０を介して端末装置２や視聴装置３からの接続要求信号を受信する。無線通信送受信部１１は無線通信制御部１２の指示により端末装置２や視聴装置３への接続要求信号を送る。また、無線通信送受信部１１は端末装置２や視聴装置３からの接続要求に対する応答を受信して無線通信制御部１２へ送ることにより、端末装置２や視聴装置３との無線通信接続を確立する。コンテンツ再生部１７はコンテンツの記憶、再生制御を行う部分で記憶部１３とコンテンツ再生制御部１４から構成される。記憶部１３はハードディスクドライブや光ディスク、フラッシュメモリ等により構成され、コンテンツデータは記憶部１３に記憶されている。コンテンツ再生制御部１４は無線通信送受信部１１を介して端末装置２からのコンテンツ再生要求信号を受信する。コンテンツ再生要求信号を受信すると選択されたコンテンツを記憶部１３から取り出す。選択されたコンテンツの再生信号は無線通信送受信部１１を介して視聴装置３へ送られる。バッテリ管理部１５は無線通信送受信部１１を介して、端末装置２からバッテリ残量取得要求信号を受信する。バッテリ残量取得要求信号を受信するとバッテリ１６からバッテリ残量情報を取り出す。バッテリ残量情報は無線通信送受信部１１を介して端末装置２へ送られる。
【００１０】
図３は本発明の第一の実施形態に係る端末装置の構成を示すブロック図である。端末装置２は主に無線通信送受信部２１、無線通信制御部２２、情報管理部２３、再生リスト生成部２４、表示部２５、バッテリ残量記憶部２６、ユーザインタフェース部２７から構成される。無線通信送受信部２１はアンテナ２０を介して再生装置１や視聴装置３からの接続要求信号を受信する。無線通信送受信部２１は無線通信制御部２２の指示により再生装置１へ接続要求を送る。また、無線通信送受信部２１は再生装置１からの接続要求に対する応答を受信して無線通信制御部２２へ送ることにより再生装置１との無線通信接続を確立する。情報管理部２３は無線通信送受信部２１を介して再生装置１のコンテンツのリストやバッテリ情報などを受信する。受信したコンテンツ情報と再生装置情報を再生リスト生成部２４に送り、コンテンツの再生リストを作成する。作成された再生リストは表示部２５により表示される。再生装置１のバッテリ残量はバッテリ残量記憶部２６に記憶される。使用者がユーザインタフェース部２７を操作することにより、表示部２５に表示された再生リストから再生するコンテンツを選択する。情報管理部２３は、選択されたコンテンツが登録されている再生装置１に対して接続要求を送るように無線通信制御部２２へ指示する。無線通信制御部２２の指示により、無線通信送受信部２１はアンテナ２０を介して、該当する再生装置１に接続要求信号を送信する。
【００１１】
図４は本発明の第一の実施形態に係る視聴装置の構成を示すブロック図である。視聴装置３は無線通信送受信部３１、無線通信制御部３２、受信信号再生部３３、音声再生部３４から構成される。無線通信送受信部３１はアンテナ３０を介して再生装置１からの接続要求信号を受信する。無線通信送受信部３１は受信した接続要求信号や接続要求に対する応答信号を無線通信制御部３２へ送る。無線通信制御部３２は接続要求信号や接続要求に対する応答信号を無線通信送受信部３１へ送ることにより再生装置１との無線通信接続を確立する。無線通信送受信部３１は再生装置１からのコンテンツ再生信号を受信する。受信したコンテンツ再生信号は受信信号再生部３３へ送られる。受信信号再生部３３はコンテンツ再生信号から音声信号と映像信号とを分離する。音声信号は音声再生部３４へ送られる。音声再生部３４は受信したコンテンツの音声を再生する。映像信号は映像再生部３５へ送られる。映像再生部３５は受信したコンテンツの映像を再生する。
【００１２】
図５は本発明の第一の実施形態に係るコンテンツ再生時の動作を示すフローチャートである。使用者が端末装置２のユーザインタフェース部２７を操作することにより、情報管理部２３へ再生装置１の探索要求を指示する。端末装置２の情報管理部２３は無線通信制御部２２へ再生装置１の探索要求を行う（ステップ１）。無線通信制御部２２の指示により、無線通信送受信部２１は再生装置1の検出を試みる。再生装置１が検出されない時は（ステップ２のＮｏ）、再び再生装置１の検出を試みる。再生装置１が検出されると（ステップ２のＹｅｓ）、再生装置１と端末装置２との間で無線通信接続を確立する（ステップ３）。端末装置２は、無線通信接続を確立した一つあるいは複数の再生装置１から、再生装置１のコンテンツ情報とバッテリ残量情報を無線通信により取得する（ステップ４）。端末装置２は検出された全ての再生装置１のコンテンツ情報をまとめたコンテンツリストを作成する（ステップ５）。使用者は端末装置２に表示されたコンテンツリストから所望のコンテンツを選択する（ステップ６）。このとき、選択したコンテンツが一つの再生装置１にのみ記録されている場合は（ステップ７のＮｏ）、再生装置１と視聴装置３との無線通信接続を確立する（ステップ９）。一方、選択したコンテンツと同一内容のコンテンツが複数の再生装置１に存在している場合は（ステップ７のＹｅｓ）、バッテリ残量の最も多い再生装置１に対して無線通信接続の接続要求を行う（ステップ８）。再生装置１と視聴装置３の間の無線通信接続が確立したら（ステップ９）、再生装置１は端末装置２により選択されたコンテンツの再生信号を視聴装置３に送る（ステップ１０）。視聴装置３は受信したコンテンツの再生信号を再生する（ステップ１１）。
【００１３】
再生が終了すると、再生装置１は端末装置２にコンテンツ再生終了を通知する。再生装置１は同時に再生装置１のバッテリ残量を端末装置２に送信する。端末装置２は送信されたバッテリ残量を、端末装置２のバッテリ残量記憶部２６に記憶する。上記の方法でコンテンツを再生すると、コンテンツの再生が特定の再生装置１に集中することを防ぐことができる。複数の再生装置１の中で同じコンテンツがある場合はバッテリ残量の多い再生装置１を選んで再生するため、結果としてより多くのコンテンツを再生することが可能となる。
【００１４】
第一の実施形態を実施した場合、再生装置のバッテリ寿命を延ばすことができる。
【００１５】
図６は本発明の第二の実施形態に係るコンテンツ再生時の動作を示すフローチャートである。第一の実施形態と同一部分については説明を省略する。第二の実施形態が第一の実施形態と異なるのは主に、複数の再生装置１のうち選択されたコンテンツを再生する再生装置１以外はコンテンツ再生部１７の電源をオフにする点である。
【００１６】
最初、再生装置１のコンテンツ再生部１７は電源オフの状態で待機している（ステップ２０）。この時、端末装置２と各再生装置１との間の無線通信接続は確保されている。また、再生装置１のコンテンツ情報とバッテリ残量情報は無線通信により取得され、全ての再生装置１のコンテンツ情報をまとめたコンテンツリストはあらかじめ作成されている。端末装置２の操作を介して再生するコンテンツが選択されると（ステップ２１）、選択されたコンテンツが複数の再生装置１に記録されているかどうかを確認する（ステップ２２）。選択されたコンテンツが一つの再生装置１にのみ記録されている場合は（ステップ２２のＮｏ）、再生装置１と視聴装置３との無線通信接続を確立する（ステップ２４）。一方、選択したコンテンツと同一内容のコンテンツが複数の再生装置１に存在している場合は（ステップ２２のＹｅｓ）、バッテリ残量の最も多い再生装置１に対して無線通信接続の接続要求を行う（ステップ２３）。再生装置１と視聴装置３との無線通信接続が確立されると（ステップ２４）、選択された再生装置１のコンテンツ再生部１７の電源をオンにする（ステップ２５）。再生装置１は選択されたコンテンツの再生信号を視聴装置３に送る（ステップ２６）。視聴装置３は受信したコンテンツの再生信号を再生する（ステップ２７）。
【００１７】
再生が終了すると、再生装置１は端末装置２にコンテンツ再生終了を通知する。再生装置１は同時に再生装置１のバッテリ残量を端末装置２に送信する。端末装置２は送信されたバッテリ残量を、端末装置２のバッテリ残量記憶部２６に記憶する。
【００１８】
本実施形態では再生するコンテンツを選択してから、再生装置１と視聴装置３との無線通信接続を確立するとしたが、再生装置１と視聴装置３との無線通信接続はあらかじめ確保されていても良い。本実施形態では待機している間、再生装置１はコンテンツ再生部１７の電源をオフにしておき、選択されたコンテンツを再生する時のみ電源をオンにするため、再生装置１のバッテリの消耗を抑えることができる。
【００１９】
第二の実施形態を実施した場合、再生装置のバッテリ寿命をより長くすることができる。
【００２０】
本発明ではその主旨を逸脱しない範囲であれば、上記の実施形態に限定されるものではなく種々の変形が可能である。
【図面の簡単な説明】
【００２１】
【図１】本発明の第一の実施形態に係る全体構成図。
【図２】本発明の第一の実施形態に係る再生装置の構成を示すブロック図。
【図３】本発明の第一の実施形態に係る端末装置の構成を示すブロック図。
【図４】本発明の第一の実施形態に係る視聴装置の構成を示すブロック図。
【図５】本発明の第一の実施形態に係る再生装置の動作を示すフローチャート。
【図６】本発明の第二の実施形態に係る再生装置の動作を示すフローチャート。
【符号の説明】
【００２２】
１…再生装置、２…端末装置、３…視聴装置、１０…アンテナ、１１…無線通信送受信部、１２…無線通信制御部、１３…記憶部、１４…コンテンツ再生制御部、１５…バッテリ管理部、１６…バッテリ、１７…コンテンツ再生部、２０…アンテナ、２１…無線通信送受信部、２２…無線通信制御部、２３…情報管理部、２４…再生リスト生成部、２５…表示部、２６…バッテリ残量記憶部、２７…ユーザインタフェース部、３０…アンテナ、３１…無線通信送受信部、３２…無線通信制御部、３３…受信信号再生部、３４…音声再生部、３５…映像再生部
【図１】
2007180602.tif 000003
【図２】
2007180602.tif 000004
【図３】
2007180602.tif 000005
【図４】
2007180602.tif 000006
【図５】
2007180602.tif 000007
【図６】
2007180602.tif 000008